(57)【要約】【課題】遊技機の本体を進退自在に移動可能な遊技機を提供する。【解決手段】遊技機１０は前面扉１２が開閉する筐体１１を備える。本体１０ａは遊技島４０のベース面４０ａに設置される。電動アクチュエータ４５は、モータ４５ａの回転運動をリニアヘッドによって軸棒４４の直線運動に変換し、これによって本体１０ａを、ベース面上の台座４１に設けられた一対のレール４２ａ・４２ｂ上で移動させて、遊技島４０に対して本体１０ａを進退させる。【選択図】図３
2008264344.tif 000002
【特許請求の範囲】
【請求項１】
前面扉が開閉する筐体を備える本体が遊技島のベース面に設置される遊技機であって、
前記遊技島に対して遊技機の本体を進退させる移動手段を備えることを特徴とする遊技機。
【請求項２】
前記遊技島のベース面に保持されて前記筐体が載置される台座を備え、
前記台座は、前記筐体の底面に連結して当該本体の進退運動のみを許容する滑動手段を設ける平坦部と、前記筐体の背面に対向する対向部と、を有し、
前記移動手段は、モータの回転運動を長尺の軸棒の直線運動に変換する電動アクチュエータを前記筐体の内部に有し、
前記軸棒の一端は、前記筐体の背面から突出して前記対向部に連結し、前記電動アクチュエータを駆動すると前記台座に対して当該本体が進退することを特徴とする請求項１記載の遊技機。
【請求項３】
前記滑動手段は、前記平坦部に固定される一対のレールと、これらレールにスライド可能に連結して前記筐体の底面に固定される複数のリニアモーションベアリングと、を有することを特徴とする請求項２記載の遊技機。
【請求項４】
前記前面扉は、前記電動アクチュエータに備わる前記モータを一方の方向に回転させて前記本体を前方に移動させる第１押しボタンスイッチと、前記電動アクチュエータに備わる前記モータを他方の方向に回転させて前記本体を後方に移動させる第２押しボタンスイッチと、を備えることを特徴とする請求項２又は３記載の遊技機。
【請求項５】
前記電動アクチュエータは、遠隔操作されることを特徴とする請求項２又は３記載の遊技機。
【発明の詳細な説明】
【技術分野】
【０００１】
本発明は、遊技機に関する。特に、パチンコ機やスロットマシンなどの遊技機の本体を進退自在に移動可能な遊技機の構造に関する。
【背景技術】
【０００２】
例えば、パチンコ機などの遊技機を複数台設置する遊技店は、各パチンコ機の稼動率が収益に多大な影響を及ぼす。すなわち、稼動率が高いと、遊技者が遊技球を投資する量が増加する。遊技者が投資した遊技球は、所定の還元率で遊技者への賞球として払い戻すことで、遊技者の特典となる。一方、投資量から還元した量を差し引いた分は、遊技店の利益となる。この場合、稼動率は安定していることが好ましい。
【０００３】
しかし、日々の天気や時刻により稼動率が左右され、設備の規模に即した稼動率と実際の稼動率との再に格差が生じている。特に、比較的短いスパン（一日、１週間など）であると、予測した稼動率の差が顕著に現れる。
【０００４】
前述した不具合に対して、設備に順じた適正な稼動率を比較的短いスパンで安定させることができる遊技機の稼動率制御方法及び装置が発明されている（例えば、特許文献１参照）。
【０００５】
特許文献１による遊技機は、温度・湿度・降雨量に基づいて天気を判別し、荒天時は客足が鈍り、晴天時は客足が伸びるという一般的な傾向に基づいて、各パチンコ機の傾斜角度を調整して、特別図柄始動入賞口への入賞確率を変更するようにしている。例えば、荒天時には、特別図柄始動入賞口へ入賞し易くすることで、集客を上げることができ、晴天時には、特別図柄始動入賞口へ入賞し難くすることで、必要以上の集客を制限できる、としている。この結果、パチンコ機の稼動率を比較的短いスパンで平均化でき、需要と供給のバランスをとることができる、としている。
【特許文献１】特開２００２−３３１１４８号公報
【発明の開示】
【発明が解決しようとする課題】
【０００６】
特許文献１による遊技機は、予め記憶された条件式に基づいて、管理装置が複数のパチンコ機の傾斜角度を一斉に変えている。
【０００７】
しかし、特許文献１による遊技機は、遊技者の身体的個体差（身長・腕の長さ・座高・視力など）に配慮している訳ではない。遊技者の身体的特徴に合致するように、遊技機を進退できれば、便利であり快適に遊技できる。この場合、遊技者自らの操作により、遊技機の進退位置を調整できることが好ましく、例えば、客層に合わせて遠隔操作により店側で遊技機の進退位置を調整してもよい。このように、遊技機の本体の進退位置を調整できる遊技機が望まれる。そして、以上のことが、本発明の課題といってよい。
【０００８】
本発明は、このような問題に鑑みてなされたものであり、遊技機の本体を進退自在に移動可能な遊技機を提供することを目的とする。
【課題を解決するための手段】
【０００９】
本発明者は、上記目的を達成するため、遊技島のベース面に設置される遊技機であって、遊技島に対して遊技機の本体を進退させる移動手段を設けることにより、遊技機の本体の進退位置を調整できることを見出し、これに基づいて、以下のような新たな遊技機を発明するに至った。
【００１０】
（１）  前面扉が開閉する筐体を備える本体が遊技島のベース面に設置される遊技機であって、前記遊技島に対して遊技機の本体を進退させる移動手段を備えることを特徴とする遊技機。
【００１１】
（１）の発明による遊技機は、本体は、前面扉が開閉する筐体を備えている。この本体は、遊技島のベース面に設置される。そして、（１）の発明による遊技機は、遊技島に対して遊技機の本体を進退させる移動手段を備えている。
【００１２】
（１）の発明による遊技機は、遊技島に対して遊技機の本体を進退させる移動手段を備えているので、遊技者の身体的特徴に合致するように、遊技機を進退できて便利であり、快適に遊技できる。
【００１３】
（２）  前記遊技島のベース面に保持されて前記筐体が載置される台座を備え、前記台座は、前記筐体の底面に連結して当該本体の進退運動のみを許容する滑動手段を設ける平坦部と、前記筐体の背面に対向する対向部と、を有し、前記移動手段は、モータの回転運動を長尺の軸棒の直線運動に変換する電動アクチュエータを前記筐体の内部に有し、前記軸棒の一端は、前記筐体の背面から突出して前記対向部に連結し、前記電動アクチュエータを駆動すると前記台座に対して当該本体が進退することを特徴とする（１）記載の遊技機。
【００１４】
（２）の発明による遊技機は、台座を備えている。台座は、遊技島のベース面に保持されており、筐体が載置される。又、台座は、平坦部と対向部を有している。平坦部には、滑動手段が設けられている。滑動手段は、筐体の底面に連結して本体の進退運動のみを許容する。対向部は、筐体の背面に対向している。
【００１５】
そして、（２）の発明による遊技機は、移動手段が電動アクチュエータを筐体の内部に有している。電動アクチュエータは、モータの回転運動を長尺の軸棒の直線運動に変換する。軸棒の一端は、筐体の背面から突出して対向部に連結しており、電動アクチュエータを駆動すると台座に対して本体が進退する。
【００１６】
例えば、台座は、縦断面がＬ字状に形成された剛体で構成されてよく、平坦部に滑動手段が設けられ、対向部に軸棒の一端が連結している。滑動手段は、後述するように、一対のレールと複数のリニアモーションベアリングとで構成してもよく、一対のスライド軸とこれらスライド軸に滑り結合する軸受とで構成してもよい。筐体の底面に連結して本体の進退運動のみを許容する滑動手段は、（２）の発明に全て含まれる。
【００１７】
電動アクチュエータは、市販品を利用できる。例えば、電動アクチュエータは、ラック・ピニオン機構のリニアヘッドを備えており、このリニアヘッドにモータが直結されて、モータの回転運動を長尺の軸棒の直線運動に変換する。このリニアヘッドは、ギヤヘッドとして機能し、モータの回転速度を減速して出力する。モータは、レバーシブルモータが好ましい。
【００１８】
（２）の発明による遊技機は、電動アクチュエータを用いて遊技機の本体を進退させるので、本体の進退位置を微細に調整できる。又、スイッチの操作や遠隔操作で本体の進退位置を微細に調整できる。
【００１９】
（３）  前記滑動手段は、前記平坦部に固定される一対のレールと、これらレールにスライド可能に連結して前記筐体の底面に固定される複数のリニアモーションベアリングと、を有することを特徴とする（２）記載の遊技機。
【００２０】
（３）の発明による遊技機は、遊技機の本体を円滑に進退できる。
【００２１】
（４）  前記前面扉は、前記電動アクチュエータに備わる前記モータを一方の方向に回転させて前記本体を前方に移動させる第１押しボタンスイッチと、前記電動アクチュエータに備わる前記モータを他方の方向に回転させて前記本体を後方に移動させる第２押しボタンスイッチと、を備えることを特徴とする（２）又は（３）記載の遊技機。
【００２２】
（４）の発明による遊技機は、遊技者自らの操作により、遊技者の身体的特徴に合致するように、遊技機の進退位置を調整できる。
【００２３】
（５）  前記電動アクチュエータは、遠隔操作されることを特徴とする（２）又は（３）記載の遊技機。
【００２４】
（５）の発明による遊技機は、例えば、客層に合わせて遠隔操作により店側で遊技機の進退位置を調整できる。
【発明の効果】
【００２５】
本発明による遊技機は、遊技島に対して遊技機の本体を進退させる移動手段を備えているので、遊技者の身体的特徴に合致するように、遊技機を進退できて便利であり、快適に遊技できる。又、電動アクチュエータを用いて遊技機の本体を進退させることにより、本体の進退位置を微細に調整できる。
【発明を実施するための最良の形態】
【００２６】
以下、図面を参照して本発明を実施するための最良の形態を説明する。
【００２７】
図１は、本発明による遊技機の一実施形態を示す正面図である。図２は、前記実施形態による遊技機の筐体の内部構造を示す斜視外観図であり、前面扉を開いた状態図である。図３は、前記実施形態による遊技機の右側面図である。図４は、前記実施形態による遊技機に備わる電動アクチュエータの斜視外観図である。
【００２８】
最初に、本発明による遊技機の構成を説明する。図１及び図２において、遊技機１０は、いわゆる「スロットマシン」又は「パチスロ機」である。遊技機１０は、コイン、メダル、又はトークンと呼ばれる有価価値である遊技媒体を用いて遊技する。以下では、遊技媒体はメダルを用いるものとして説明する。
【００２９】
図１及び図２において、遊技機１０は本体１０ａを備え、本体１０ａは筐体１１と、筐体１１を開閉する前面扉１２とを備えている。筐体１１の内部にリールユニット１３が配置されており、筐体１１の内部は、棚１４で上下に仕切られ、棚１４にリールユニット１３が載置されている。
【００３０】
図２において、棚１４の下方には、投入されたメダルを収納し、メダルをメダル受け皿１５に払い出すホッパー１６、還元率設定スイッチ１７を含む電源ボックス１８が配置されている。棚１４の上方には、遊技機１０を制御するメイン基板（プリント基板）及びサブ基板（プリント基板）を含む制御盤１９などが配置されている。
【００３１】
図１及び図２において、前面扉１２に形成される正面パネル２０には、矩形状の表示窓２１が設けられている。表示窓２１は、個別の表示窓２１Ｌ・２１Ｃ・２１Ｒに区画されている。リールユニット１３には、各々の外周面に複数種類の図柄が描かれた３個のリール２２Ｌ・２２Ｃ・２２Ｒが回転自在に設けられている。リール２２Ｌ・２２Ｃ・２２Ｒの各々は、表示窓２１を介して観察可能に配置されている。
【００３２】
図１において、表示窓２１の下方右側には、略水平の台座部２３が設けられており、その上面右側には、遊技者が遊技媒体であるメダルを入れるための投入口２４が設けられている。ここで、メダルは、コイン、メダル、又はトークンと称される有価価値である。
【００３３】
図１において、台座部２３の上面左側には、押しボタン操作による三つのＢＥＴスイッチ２５・２６・２７が配置されている。ＢＥＴスイッチ２５は、１回の遊技に１枚のメダルを賭けられる。ＢＥＴスイッチ２６は、１回の遊技に２枚のメダルを賭けられる。ＢＥＴスイッチ２７は、１回の遊技に３枚のメダルを賭けられる。
【００３４】
台座部２３の前面の左側には、スタートレバー２８が傾動可能に設けられている。スタートレバー２８を遊技者が傾動操作することによって、三つのリール２２Ｌ・２２Ｃ・２２Ｒの回転が一斉に開始される。３つのリール２２Ｌ・２２Ｃ・２２Ｒが回転したときには、リール２２Ｌ・２２Ｃ・２２Ｒの各々の外周面に描かれている複数の図柄が、表示窓２１において変動表示される。
【００３５】
台座部２３の前面の中央には、３個のリール停止ボタン２９Ｌ・２９Ｃ・２９Ｒが設けられている。リール停止ボタン２９Ｌはリール２２Ｌに対応し、リール停止ボタン２９Ｃはリール２２Ｃに対応し、リール停止ボタン２９Ｒはリール２２Ｒに対応している。そして、リール停止ボタン２９Ｌを遊技者が押動操作したときには、リール２２Ｌが停止し、リール停止ボタン２９Ｃを遊技者が押動操作したときには、リール２２Ｃが停止し、リール停止ボタン２９Ｒを遊技者が押動操作したときには、リール２２Ｒが停止する。
【００３６】
スタートレバー２８の左側には、払出しボタン３０が設けられている。遊技者が払出しボタン３０を押動操作したときには、投入されているメダルが正面下部のメダル払出口３１から払い出され、払い出されたメダルはメダル受け皿１５に溜められる。
【００３７】
表示窓２１には、横に３本（中央及び上下）及び斜めに２本の入賞ラインが設けられている。ゲーム開始に先立って、遊技者が投入口２４から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００３８】
図１及び図２に示すように、遊技機１０の本体１０ａは遊技島４０のベース面４０ａ上に搭載されている。ベース面４０ａ上に台座４１が保持されており、この台座４１上に本体１０ａ（つまり、筐体１１）が載置される。
【００３９】
図３において、台座４１はその縦断面がＬ字状の剛体で構成され、平坦部４１ａ及び対向部４１ｂを有している。平坦部４１ａには、図１において前後方向に延びる一対のレール４２ａ・４２ｂが所定の間隔をおいて固定されている。一方、筐体１１の底面には、複数のリニアモーションベアリング（以下、ＬＭＢと略称する）４３ａ・４３ｂが固定されている。複数のＬＭＢ４３ａ・４３ｂは、一対のレール４２ａ・４２ｂにスライド可能に連結している。
【００４０】
図１及び図３において、レール４２ａに連結する一組のＬＭＢ４３ａ・４３ａが前後方向に所定の距離をおいて、筐体１１の底面に固定されている。又、レール４２ｂに連結する一組のＬＭＢ４３ｂ・４３ｂが前後方向に所定の距離をおいて、筐体１１の底面に固定されている。
【００４１】
図示された実施形態では、一対のレール４２ａ・４２ｂと、これらレール４２ａ・４２ｂにすべり結合する複数のＬＭＢ４３ａ・４３ｂにより、本体１０ａの進退運動のみを許容する滑動手段を構成している。
【００４２】
図３に示すように、台座４１の対向部４１ｂは、筐体１１の背面１１ａと対向している。対向部４１ｂには、軸受部材４４ａを取り付けている。軸受部材４４ａは、長尺の軸棒４４の一端を保持しており、台座４１に対して軸棒４４がスラスト方向に移動することを困難にしている（図４参照）。そして、軸棒４４は、背面１１ａに形成された貫通穴を通過して、筐体１１の内部に達している。
【００４３】
図２において、電源ボックス１８上には電動アクチュエータ４５を配置している。電動アクチュエータ４５は、モータ４５ａとリニアヘッド（変換機構）４５ｂで構成されている（図３。そして、リニアヘッド４５ｂに備わるフランジが筐体１１の内壁に固定されている。リニアヘッド４５ｂは、ラック・ピニオン機構を備えており、スラスト方向に進退する軸棒４４を有している（図４参照）。
【００４４】
図４において、リニアヘッド４５ｂは、ギヤヘッドとしても機能し、モータ４５ａの回転を減速して出力する。そして、モータ４５ａの出力軸の回転運動を軸棒４４の直線運動に変換している。このように、軸棒４４の直線運動によって、本体１０ａが一対のレール４２ａ・４２ｂ上を台座４１に対して進退できる。
【００４５】
図４に示すように、軸棒４４は、リニアヘッド４５ｂの両翼に延出している。軸棒４４の他端には、Ｌ字状のシャッタ（検知体）４６ａを取り付けている。シャッタ（検知体）４６ａが移動する方向途上には、アングル部材を介してセンサ４６ｂを配置している。
【００４６】
そして、センサ４６ｂがシャッタ４６ａを検知すると、モータ４５ａの回転を停止するように構成されている。すなわち、シャッタ４６ａとセンサ４６ｂとによって、本体１０ａの前進限度を規制するリミットスイッチ（以下、第１のリミットスイッチと呼ぶ）を構成している。
【００４７】
一方、例えば、筐体１１の背面１１ａには、図示しないシャッタを取り付けてよく、対向部４１ｂには、図示しないセンサが取り付けてよく、このセンサが前記シャッタを検知すると、モータ４５ａの回転を停止するように構成することが好ましい。これらシャッタ及びセンサによって、本体１０ａの後退限度を規制するリミットスイッチ（以下第２のリミットスイッチと呼ぶ）を構成できる。
【００４８】
図１に戻り、台座部２３の前面右側（つまり、リール停止ボタン２９Ｌ・２９Ｃ・２９Ｒの右側）には、操作スイッチ部５０を設けている。操作スイッチ部５０は、第１押しボタンスイッチ５１ａと第２押しボタンスイッチ５１ｂを設けている。
【００４９】
図１において、第１及び第２押しボタンスイッチ５１ａ・５１ｂの前方には、開閉する透明カバー５１ｃを取り付けており、不用意な操作を防止している。透明カバー５１ｃを開けると、第１及び第２押しボタンスイッチ５１ａ・５１ｂを押動操作できる。
【００５０】
次に、最初に、本発明による遊技機の作用を説明する。図１又は図３において、一般に、遊技機１０の前方には、遊技者が着席して遊技する椅子（図示せず）がフロアに固定されている。そして、この固定された椅子と前面扉１２との間隔は、平均的な体型の遊技者にとって都合の良い距離に設定されている。
【００５１】
しかし、前述のように、遊技者の身体的個体差に配慮して、上記の間隔が設定されている訳ではなく、ある遊技者にとっては当該距離が遊技する上で不都合なことがある。このような場合には、次のようにして、遊技者自らの操作によって、遊技機１０の進退位置を調整する。
【００５２】
図１において、遊技者が遊技機１０の進退位置を調整するときは、まず、透明カバー５１ｃを開けて、第１及び第２押しボタンスイッチ５１ａ・５１ｂを押動操作可能にする。
【００５３】
なお、第１及び第２押しボタンスイッチ５１ａ・５１ｂには、遊技機１０の進退方向を示す表示を彫刻してもよく、例えば、第１押しボタンスイッチ５１ａには、前進を示す「前」の表示が彫刻されてよく、第２押しボタンスイッチ５１ｂには、後退を示す「後」の表示が彫刻されている。
【００５４】
図１において、遊技者が遊技機１０を前進させようとする場合には、第１押しボタンスイッチ５１ａを押圧する（又は、押圧を継続する）。これによって、モータ４５ａが一方の方向に回転し、モータ４５ａの回転運動がリニアヘッド４５ｂにより軸棒４４の直線運動に変換される。そして、軸棒４４の直線運動によって、本体１０ａが一対のレール４２ａ・４２ｂ上を台座４１に対して実線矢印の方向に前進できる（図３参照）。
【００５５】
遊技者が所望する位置に本体１０ａが前進した際には、遊技者は第１押しボタンスイッチ５１ａの押圧を止める。これによって、モータ４５ａの回転が停止し、軸棒４４の直線運動を停止させて、本体１０ａの移動を停止する。
【００５６】
なお、前述のように、第１のリミットスイッチによって、本体１０ａの前進限度が規制されているので、遊技者が第１押しボタンスイッチ５１ａを押圧し続けても、所要の限度を超えて前進しないように保護されている。
【００５７】
一方、図１において、遊技者が遊技機１０を後退させようとする場合には、第２押しボタンスイッチ５１ｂを押圧する（又は、押圧を継続する）。モータ４５ａが他方の方向に回転し、モータ４５ａの回転運動がリニアヘッド４５ｂにより軸棒４４の直線運動に変換される。そして、軸棒４４の直線運動によって、本体１０ａが一対のレール４２ａ・４２ｂ上を台座４１に対して破線矢印の方向に後退できる（図３参照）。
【００５８】
遊技者が所望する位置に本体１０ａが後退した際には、遊技者は第２押しボタンスイッチ５１ｂの押圧を止める。これによって、モータ４５ａの回転が停止し、軸棒４４の直線運動を停止させて、本体１０ａの移動を停止する。なお、前述したように、第２のリミットスイッチによって本体１０ａの後退限度はされているので、遊技者が第２押しボタンスイッチ５１ｂを押圧し続けても、所要の限度を超えて後退しないように保護されている。
【００５９】
このようにして、自らの操作によって、遊技者は自分自身の身体的特徴に合致するように、遊技機１０の進退位置を調整することになる。そして、上述のように、電動アクチュエータ４５を用いて本体１０ａを進退させるようにすれば、本体１０ａの進退位置を微細に調整できる。
【００６０】
更に、一対のレール４２ａ・４２ｂにスライド可能に連結する複数のリニアモーションベアリング４３ａ・４３ｂを用いて本体１０ａを台座４１に対して移動するようにしたので、本体１０ａを円滑に進退できるという利点もある。
【００６１】
なお、本実施形態では、滑動手段を一対のレールと複数のリニアモーションベアリングとで構成するようにしたが、滑動手段を一対のスライド軸とこれらスライド軸に滑り結合する軸受とで構成するようにしてもよく、いずれにしても滑動手段は、筐体１１の底面に連結して本体１０ａの進退運動のみを許容する機構であればどのような機構を用いるようにしてもよい。
【００６２】
又、上述の例では、遊技者自身が第１又は第２の押しボタンスイッチ５１ａ及び５１ｂを操作して、本体１０ａを進退させる例について説明したが、遠隔装置を備えて、電動アクチュエータを遠隔操作するようにしてもよく、この場合には、客層に合わせて遠隔操作によって店側で遊技機１０の進退位置を調整することができる。
【００６３】
上述の例では、遊技機として遊技機１０を例に挙げて説明したが、遊技機１０以外の遊技機（例えば、パチンコ機）においても本発明を適用できることはいうまでもない。
【００６４】
以上のように、遊技島４０に対して遊技機１０などの遊技機の本体を進退可能としたので、遊技者の身体的特徴に合致するように遊技機を進退させることができ、遊技者は快適に遊技を行うことができる。
【図面の簡単な説明】
【００６５】
【図１】本発明による遊技機の一実施形態を示す正面図である。
【図２】前記実施形態による遊技機の筐体の内部構造を示す斜視外観図であり、前面扉を開いた状態図である。
【図３】前記実施形態による遊技機の右側面図である。
【図４】前記実施形態による遊技機に備わる電動アクチュエータの斜視外観図である。
【符号の説明】
【００６６】
１０  遊技機
１０ａ  本体
１１  筐体
１２  前面扉
４０  遊技島
４１  台座
４１ａ  平坦部
４１ｂ  対向部
４２ａ・４２ｂ  レール（滑動手段）
４３ａ・４３ｂ  ＬＭＢ（リニアモーションベアリング、滑動手段）
４４  軸棒
４５  電動アクチュエータ
【図１】
2008264344.tif 000003
【図２】
2008264344.tif 000004
【図３】
2008264344.tif 000005
【図４】
2008264344.tif 000006